(57)【要約】【課題】横方向及び縦方向に大きなスペースを必要としない、かつ炉体の剛性をアップと重量軽減を図り、炉の製作費、輸送費等のコスト低減をした小形真空浸炭炉を提供。【解決手段】冷却室 2を縦型円筒部70形状とし、冷却室の入口側に入口角型部材72を貫通接続し、入口角型部材72には中間板74、入口扉 1が設置されている。冷却室 2の入口側の反対側に出口角型部材73を貫通接続し、出口角型部材73に冷却室出口フランジ33を取付け、加熱室 3を縦型円筒部80形状とし、冷却室出口フランジ33と加熱室 3との間にプレート60を設け、プレート60を冷却室出口フランジ33に連結し、プレート60と加熱室入口フランジ６とを連結して、冷却室 2と加熱室 3とを連結し、かつ昇降可能な中間扉 4を、冷却室出口フランジ33に連結したプレート60に取り付け、中間扉 4の昇降駆動手段は冷却室 2内部へ取り込んだ外接歯車 14、15の噛み合わせにより行うようにした。【選択図】図２
2007126723.tif 000002
【特許請求の範囲】
【請求項１】
入口扉と冷却室と加熱室を有し、冷却室と加熱室を昇降可能な中間扉で仕切った比較的浸炭処理量が少量のバッチ型小形真空浸炭炉において、
冷却室を縦型円筒部形状とし、上部はフランジ付きかつ凸面を有する鏡板により密閉し、前記冷却室の入口側に入口角型部材を貫通接続して入口扉を設置し、
前記冷却室の入口側の反対側に出口角型部材を貫通接続し、前記出口角型部材に冷却室出口フランジを取付け、前記加熱室を縦型円筒部形状とし、加熱室入口側に加熱室入口フランジを設け、
前記冷却室出口フランジと前記加熱室との間にプレートを設け、前記プレートを前記冷却室出口フランジに連結し、前記プレートと加熱室入口フランジとを連結して、前記冷却室と加熱室とを連結したことを特徴とする小形真空浸炭炉。
【請求項２】
前記昇降可能な中間扉を、前記冷却室出口フランジに連結した前記プレートに取り付け、前記中間扉の昇降駆動手段は前記冷却室内部へ取り込んだ外接歯車の噛み合わせにより行うようにしたことを特徴とする請求項１記載の小形真空浸炭炉。
【請求項３】
冷却室の下部は凸面を有する鏡板により密閉したことを特徴とする請求項１又は請求項２記載の小形真空浸炭炉。
【発明の詳細な説明】
【技術分野】
【０００１】
本発明は、入口扉と冷却室と加熱室を有し、冷却室と加熱室を中間扉で仕切った比較的浸炭処理量が少量のバッチ型小形真空浸炭炉の炉体形状に関する。
【背景技術】
【０００２】
従来の入口扉と冷却室と加熱室を有し、冷却室と加熱室を中間扉で仕切ったバッチ型真空浸炭炉としては、例えば特許文献１、２及び３に記載されている例がある。これらのバッチ型真空浸炭炉は箱型形状の冷却室と箱型又は横型円筒形状の加熱室を有し、入口扉と中間扉とは上方に延びるシリンダで昇降され、横方向及び縦方向に大きなスペースを必要とした大型装置となっていた。
【特許文献１】特公昭62-4464 号公報
【特許文献２】特許第2963869 号公報
【特許文献３】実開平03-41837号公報
【発明の開示】
【発明が解決しようとする課題】
【０００３】
真空浸炭炉をはじめとする真空熱処理炉は炉内を１〜10Kpa 程度に減圧し処理を行うが、炉体外部からの大気圧により炉体の変形を防止するため炉体部材の肉厚を厚くしたりリブ等の補助部材を入れたりするのが一般的である。そのため炉体は重量的に重くなり、材料費・加工費および輸送費等のコスト高になることは必至である。上記特許文献１、２及び３に記載されている炉では、構成ブロック図は記載されているが、炉体形状に関する記載もなく示唆もない。
【０００４】
本発明の課題は、比較的浸炭処理量が少量のバッチ型小形真空浸炭炉において、横方向及び縦方向に大きなスペースを必要としない、かつ炉体の剛性をアップと重量軽減を図り、炉の製作費、輸送費等のコスト低減をした小形真空浸炭炉を提供することにある。
【課題を解決するための手段】
【０００５】
このため本発明は、入口扉と冷却室と加熱室を有し、冷却室と加熱室を中間扉で仕切った比較的浸炭処理量が少量のバッチ型小形真空浸炭炉において、
冷却室を縦型円筒部形状とし、上部はフランジ付きかつ凸面を有する鏡板により密閉し、前記冷却室の入口側に入口角型部材を貫通接続して入口扉を設置し、
前記冷却室の入口側の反対側に出口角型部材を貫通接続し、前記出口角型部材に冷却室出口フランジを取付け、
前記加熱室を縦型円筒部形状とし、加熱室入口側に加熱室入口フランジを設け、
前記冷却室出口フランジと前記加熱室との間にプレートを設け、前記プレートを前記冷却室出口フランジに連結し、前記プレートと加熱室入口フランジとを連結して、前記冷却室と加熱室とを連結しことを特徴とする小形真空浸炭炉を提供することによって上述した課題を解決した。
【発明の効果】
【０００６】
本発明では、冷却室と加熱室とを縦型円筒部形状としたので、鋼板を丸めて溶接するだけで安価で重量軽減となり、かつ円筒部形状と冷却室上部はフランジ付きかつ凸面を有する鏡板により密閉することと合わせて炉体の剛性をアップをはかった。また冷却室の入口側に入口角型部材を貫通接続して入口扉を設置し、冷却室の入口側の反対側に出口角型部材を貫通接続し、出口角型部材に冷却室出口フランジを取付け、冷却室出口フランジと加熱室との間にプレートを設け、プレートを冷却室出口フランジに連結し、プレートと加熱室入口フランジとを連結して、冷却室と加熱室とを連結したので、従来の装置のような入口扉と中間扉とを上方に延びるシリンダで昇降して縦方向に大きなスペースを必要とすることをなくしたので、極めてコンパクト、小型で、横方向及び縦方向に大きなスペースを必要とすることをなく、かつ炉体の剛性をアップと重量軽減を図り、炉の製作費、輸送費等のコスト低減をした小形真空浸炭炉を提供するものとなった。
【０００７】
好ましくは、前記昇降可能な中間扉を、前記冷却室出口フランジに連結した前記プレートに取り付け、前記中間扉の昇降駆動手段は前記冷却室内部へ取り込んだ外接歯車の噛み合わせにより行うようにした。
さらに好ましくは、冷却室の下部は凸面を有する鏡板により密閉することにより、より炉体の剛性をアップと重量軽減を図ることができる。
【発明を実施するための最良の形態】
【０００８】
本発明を実施するための最良の形態の一例を図１乃至図４を参照して説明する。図１は本発明の実施形態の小形真空浸炭炉の概略側面断面図、図２は図１のＡ−Ａ線に沿った概略平面断面図、図３は図２の冷却室、プレート、中間扉、加熱室の連結部の詳細部分拡大図、図４は図１の左側面図で、冷却室の前面及び入口扉を示す。
【０００９】
本発明の実施形態の小形真空浸炭炉は、図１の左方から入口扉 1と冷却室 2と加熱室 3を有し、冷却室 2と加熱室 3を中間扉 4で仕切った比較的浸炭処理量が少量のバッチ型小形真空浸炭炉である。本発明では、冷却室 2を縦型円筒部70形状とし、上部はフランジ付きかつ凸面を有する鏡板71により密閉し、底部は凸面を有する鏡板76により密閉した。冷却室の入口側に入口角型部材72を貫通接続し溶接等で縦型円筒部入口側77と一体化されている。入口角型部材72には中間板74が取付けられ、中間板74にはワーク通過用開口部78があり、ワーク通過用開口部78には入口扉 1が設置されている。冷却室 2の入口側の反対側に出口角型部材73を貫通接続し溶接等で縦型円筒部出口側79と一体化されている。出口角型部材73に冷却室出口フランジ33を取付け、加熱室 3を縦型円筒部80形状とし、加熱室入口側に加熱室入口フランジ 6を設け、冷却室出口フランジ33と加熱室 3との間にプレート60を設け、プレート60を冷却室出口フランジ33に連結し、プレート60と加熱室入口フランジ 6とを連結して、冷却室 2と加熱室 3とを連結し、かつ昇降可能な中間扉 4を、冷却室出口フランジ33に連結したプレート60に取り付け、中間扉 4の昇降駆動手段は冷却室 2内部へ取り込んだ外接歯車 14、15（図２）の噛み合わせにより行うようにしたものである。冷却室内は下部に油槽 9があり、炉内搬送装置30と図示しないワーク上下用エレベータが設置されている。加熱室 3は断熱材枠が挿入できる開口部81がある。75は脚で、縦型円筒部70底部に溶接されている。
【００１０】
図３に示す図２の冷却室、プレート、中間扉、加熱室の連結部の詳細部分拡大図でみてわかるように、中間扉 4は、冷却室外部に設けられた昇降駆動手段13から冷却室内部に伸びる外接歯車 14、15を介してエンドレスチェーン17により上下し、下降端では、リンク装置 18、19によりシーリングプレート29を介して加熱室側に押し付けられる。エンドレスチェーン17は被処理物 8の流れ方向中心の両側に各１基あり、エンドレスチェーン17のチェーンホイール16の支承軸26は、アングル部材27により、プレート60に取り付けられている。冷却室出口フランジ33に貼り付けられるプレート60は、水冷ジャケット25を有し、シーリングプレート29は、真空シール用Ｏリング溝に入れられた真空シール用Ｏリング23、及び水冷ジャケットシール溝に入れられた水冷ジャケットシール 24、24をそれぞれ有し、真空シール用Ｏリング23は水冷ジャケット25により冷却されている。
【００１１】
本発明では、冷却室 2をと加熱室 3と縦型円筒部 70、80形状とし、鋼板を丸めて溶接するだけで安価で重量軽減となり、かつ円筒部形状と冷却室上部はフランジ付きかつ凸面を有する鏡板71により密閉することと合わせて炉体の剛性をアップをはかった。また冷却室 2の入口側に入口角型部材72を貫通接続して入口扉 1を設置し、冷却室 2の入口側の反対側に出口角型部材73を貫通接続し、出口角型部材73に冷却室出口フランジ33を取付け、冷却室出口フランジ33と加熱室 3との間にプレート60を設け、プレート60を冷却室出口フランジ34に連結し、プレート60と加熱室入口フランジ33とを連結して、冷却室 2と加熱室 3とを連結し、かつ昇降可能な中間扉 4を、冷却室出口フランジ33に連結したプレート60に取り付け、中間扉60の昇降駆動手段は冷却室内部へ取り込んだ外接歯車 14、15の噛み合わせにより行うようにしたので、従来の装置のような入口扉と中間扉とを上方に延びるシリンダで昇降して縦方向に大きなスペースを必要とすることをなくしたので、極めてコンパクト、小型で、横方向及び縦方向に大きなスペースを必要とすることをなく、かつ炉体の剛性をアップと重量軽減を図り、炉の製作費、輸送費等のコスト低減をした小形真空浸炭炉を提供するものとなった。
好ましくは、冷却室の下部は凸面を有する鏡板76により密閉することにより、より炉体の剛性をアップと重量軽減を図ることができる。
【図面の簡単な説明】
【００１２】
【図１】本発明の実施形態の小形真空浸炭炉の概略側面断面図。
【図２】図２は図１のＡ−Ａ線に沿った概略平面断面図。
【図３】図２の中間扉と加熱室との真空シール詳細部分の部分拡大図。
【図４】図１の左側面図で、冷却室の前面及び入口扉を示す。
【符号の説明】
【００１３】
１：入口扉、２：冷却室、３：加熱室、４：中間扉、６：加熱室入口フランジ
33：冷却室出口フランジ、60：プレート
【図１】
2007126723.tif 000003
【図２】
2007126723.tif 000004
【図３】
2007126723.tif 000005
【図４】
2007126723.tif 000006